(57)【特許請求の範囲】
【請求項１】
それぞれ異なる位置に配置された複数の記憶部を備えた情報端末装置と近接無線通信によりデータ通信を行うデータ記憶装置であって、
前記複数の記憶部に記憶されている対象データを受信する近接無線通信手段と、
前記近接無線通信手段により取得した前記対象データを記憶するデータ記憶部と、
前記情報端末装置によって検出された前記情報端末装置と本データ記憶装置との相対位置を含む本データ記憶装置に対する前記情報端末装置の相対的な姿勢に基づいて前記複数の記憶部から特定された記憶部に記憶された前記対象データを、前記近接無線通信手段により受信し、受信した前記対象データを前記データ記憶部に記憶する制御部と
を備えることを特徴とするデータ記憶装置。
【請求項２】
前記対象データは、前記情報端末装置の検出部により検出された前記情報端末装置との相対位置に基づいて前記複数の記憶部のうち前記データ記憶装置側にある記憶部に記憶されているデータである
ことを特徴とする請求項１に記載のデータ記憶装置。
【請求項３】
前記対象データの受信前に、前記情報端末装置にて生成された前記対象データを選択させるための選択用データを前記近接無線通信手段にて受信し、受信された前記選択用データから選択用画像を生成する画像生成部と、
前記画像生成部で生成された選択用画像を表示する表示部と、
ユーザの選択操作によって前記選択用画像を選択すると共に前記情報端末装置からの前記対象データの送信モードを選択する操作部と、
を備えることを特徴とする請求項１または２に記載のデータ記憶装置。
【発明の詳細な説明】
【技術分野】
【０００１】
本発明は、データの受け渡しをする複数のアクセス先のうちから、一つのアクセス先を特定することが可能な情報端末装置、データ送受信システム、及び、アクセス先特定方法に関する。
【背景技術】
【０００２】
パーソナルコンピュータ(以下、ＰＣ）、デジタルスチルカメラ（以下、デジタルカメラ）などの情報装置のなかには、無線通信により互いにデータの送受信を行うものがある。情報装置間の無線通信には、ＲＦＩＤ(Radio Frequency IDentification)や、ＩＣタグなどに代表されるＮＦＣ(Near Field Communication)技術を用いた近接無線通信が使用される。
【０００３】
近接無線通信は、対応する情報装置同士を近付けるだけで通信が確立し送受信が開始される。そのため、近接無線通信を用いることで、ケーブル接続等の煩雑な行為を行うことなく、直感的な操作でデータ通信を行うことが可能となるという利点がある。
【０００４】
従来、近接無線通信を用いて、情報携帯装置とＰＣなどの据置型情報装置との間でデータのコピーや移動等のデータ伝送を行う場合、以下の手順でデータ伝送を行っていた。
【０００５】
据置型情報装置に接続された無線受信装置上に情報携帯装置が置かれると、転送するデータを選択するための選択用データ、例えば、情報携帯装置に記憶されている各データと関連づけられたサムネイル画像を生成するためのデータ（以下、選択用データ）が、情報携帯装置から据置型情報装置に送信される。据置型情報装置は、受信した選択用データからサムネイル画像を生成し、表示画面に表示する。
【０００６】
ユーザは、表示されたサムネイル画像に対して、コピー・ペーストやドラッグ等の操作を行うことで、情報携帯装置から据置型情報装置へデータ伝送を行っていた。
【０００７】
このように、従来の伝送手順では、情報装置間でデータ通信を行うために、ユーザは、表示されたサムネイル画像に対して、いちいち操作を行う必要がある。このため、従来の方法は、直感的な操作でデータ通信を行うことが可能となるという近接無線通信の利点を十分に活かすものではないという第１の問題があった。
【０００８】
また、近年、デジタルカメラや携帯電話などの情報携帯装置の多機能化・高性能化に伴い、情報携帯装置に蓄積されるデータ量が急増し、複数の記録媒体を備える情報携帯装置が登場している。
【０００９】
上記従来の方法では、転送対象のデータが複数の記憶媒体に渡って記憶されていない場合であっても、情報携帯装置が備える全ての記憶媒体に記憶されている全データに関する選択用データが、据置型情報装置へ送信される。その結果、表示画面にサムネイル画像が表示されるまでの時間が長いという第２の問題があった。
【００１０】
第１の問題に対し、情報提供装置と情報取得装置との相対位置情報に基づいて情報提供装置が提供する情報を特定する方法が提案されている（例えば、特許文献１）。
【先行技術文献】
【特許文献】
【００１１】
【特許文献１】特開２００３−２４８６９７号公報
【発明の概要】
【発明が解決しようとする課題】
【００１２】
特許文献１に開示されている方法は、表示画面に表示されている情報の内、どの情報を送信するかを相対位置情報に基づいて自動的に特定するものである。従って、第１の問題をある程度は解決することができる。しかし、第２の問題を解決することはできない。すなわち、情報提供装置が複数の記憶部を備えている場合、ユーザはデータの読み出し先となる記憶部を特定する操作を行う必要がある。
【００１３】
本発明は、上記実情に鑑みてなされたものであり、簡単な操作で、データの受け渡しをする複数のアクセス先のうちから、一つのアクセス先を特定することが可能なデータ記憶装置を提供することを目的とする。
【課題を解決するための手段】
【００１４】
上記目的を達成するために、本発明の係るデータ記憶装置は、それぞれ異なる位置に配置された複数の記憶部を備えた情報端末装置と近接無線通信によりデータ通信を行うデータ記憶装置であって、前記複数の記憶部に記憶されている対象データを受信する近接無線通信手段と、前記近接無線通信手段により取得した前記対象データを記憶するデータ記憶部と、前記情報端末装置によって検出された前記情報端末装置と本データ記憶装置との相対位置を含む本データ記憶装置に対する前記情報端末装置の相対的な姿勢に基づいて前記複数の記憶部から特定された記憶部に記憶された前記対象データを、前記近接無線通信手段により受信し、受信した前記対象データを前記データ記憶部に記憶する制御部と、を具備することを特徴とする。
【００１５】
この場合、前記対象データは、前記情報端末装置の検出部により検出された前記情報端末装置との相対位置に基づいて前記複数の記憶部のうち前記データ記憶装置側にある記憶部に記憶されているデータである、こととしてもよい。
【００１６】
また、前記対象データの受信前に、前記情報端末装置にて生成された前記対象データを選択させるための選択用データを前記近接無線通信手段にて受信し、受信された前記選択用データから選択用画像を生成する画像生成部と、前記画像生成部で生成された選択用画像を表示する表示部と、ユーザの選択操作によって前記選択用画像を選択すると共に前記情報端末装置からの前記対象データの送信モードを選択する操作部と、を具備することとしてもよい。
【発明の効果】
【００１７】
直感的な操作で、データの受け渡しをする複数のアクセス先から、ユーザが所望するアクセス先を特定すること可能となり、直感的な操作でデータ通信ができるという近接無線通信の利点を活かすことができる。
【図面の簡単な説明】
【００１８】
【図１】実施形態１における、データ送受信システムの一例の外観図である。
【図２】実施形態１における、データ携帯装置の概略的な構成を示した機能ブロック図である。
【図３】実施形態１における、データ記憶装置の概略的な構成を示した機能ブロック図である。
【図４】実施形態１における、加速度センサによる相対的な姿勢の検出方法とデータ記憶部の特定方法を説明するための図である。
【００１９】
【図５】実施形態１における、加速度センサによる相対的な姿勢の検出方法とデータ記憶部の特定方法を説明するための他の図である。
【図６】実施形態１における、データ携帯装置の処理のフローチャートの一部を示す図である。
【図７】実施形態１における、データ携帯装置の処理のフローチャートの続きを示す図である。
【図８】実施形態１における、データ記憶装置の処理のフローチャートの一部を示す図である。
【００２０】
【図９】実施形態１における、データ記憶装置の処理のフローチャートの続きを示す図である。
【図１０】実施形態１における、相対位置関係検出用テーブルの例を示す図である。
【図１１】実施形態１における、対象特定用テーブルの例を示す図である。
【図１２】実施形態２における、データ携帯装置の概略的な構成を示した機能ブロック図である。
【００２１】
【図１３】実施形態２における、データ記憶装置の概略的な構成を示した機能ブロック図である。
【図１４】実施形態２における、受信電波強度による相対的な姿勢の検出方法とデータ記憶部の特定方法を説明するための図である。
【図１５】実施形態２における、受信電波強度による相対的な姿勢の検出方法とデータ記憶部の特定方法を説明するための他の図である。
【図１６】実施形態２における、相対位置関係検出用テーブルの例を示す図である。
【００２２】
【図１７】実施形態２の変形例１における、受信電波強度による相対的な姿勢の検出方法とデータ記憶部の特定方法を説明するための図である。
【図１８】実施形態２の変形例１における、受信電波強度による相対的な姿勢の検出方法とデータ記憶部の特定方法を説明するための他の図である。
【図１９】実施形態２の変形例１における、相対位置関係検出用テーブルの例を示す図である。
【図２０】実施形態２の変形例２における、受信電波強度による相対的な姿勢の検出方法とデータ記憶部の特定方法を説明するための図である。
【００２３】
【図２１】実施形態２の変形例２における、受信電波強度による相対的な姿勢の検出方法とデータ記憶部の特定方法を説明するための他の図である。
【図２２】実施形態２の変形例２における、相対位置関係検出用テーブルの例を示す図である。
【図２３】実施形態３における、受信電波強度による相対的な位置の検出方法とデータ記憶部の特定方法を説明するための図である。
【００２４】
【図２４】実施形態３における、受信電波強度による相対的な位置の検出方法とデータ記憶部の特定方法を説明するための他の図である。
【図２５】実施形態３における、相対位置関係検出用テーブルの例を示す図である。
【００２５】
【図２６】実施形態３における、対象特定用テーブルの例を示す図である。
【図２７】実施形態４における、データ携帯装置の概略的な構成を示した機能ブロック図である。
【００２６】
【図２８】実施形態４における、データ記憶装置の概略的な構成を示した機能ブロック図である。
【図２９】実施形態４における、方向を検出することによる相対的な向きの検出方法とデータ記憶部の特定方法を説明するための図である。
【００２７】
【図３０】実施形態４における、方向を検出することによる相対的な向きの検出方法とデータ記憶部の特定方法を説明するための他の図である。
【図３１】実施形態４における、相対位置関係検出用テーブルの例を示す図である。
【００２８】
【図３２】実施形態４における、対象特定用テーブルの例を示す図である。
【図３３】実施形態５における、データ携帯装置の概略的な構成を示した機能ブロック図である。
【００２９】
【図３４】実施形態５における、接続先特定装置の概略的な構成を示した機能ブロック図である。
【図３５】実施形態５における、接続先特定処理のフローチャートを示す図である。
【００３０】
【図３６】実施形態５における、データ送信処理のフローチャートを示す図である。
【図３７】実施形態５における、対象特定用テーブルの例を示す図である。
【発明を実施するための形態】
【００３１】
本発明の好適な実施形態に係るデータ伝送システムについて説明する。
【００３２】
（実施形態１）
実施形態１に係るデータ送受信システム１は、図１に示すように、データを送信するデータ携帯装置００１と、データ携帯装置００１から送信されたデータを受信し記憶するデータ記憶装置１０１とから構成され、データ携帯装置００１に装着された複数のデータ記憶部とデータ記憶装置１０１が備える記憶装置との間でデータを送受信するシステムである。このデータ送受信システム１は、データを送受信する際、データ記憶装置１０１とデータ携帯装置００１との相対的な位置関係に応じて、データ携帯装置００１に装着された複数のデータ記憶部のうちからアクセス対象のデータ記憶部を自動的に選択し、処理を行う構成を有する。
【００３３】
データ携帯装置００１は、例えば、スマートフォン、ＰＤＡ(Personal Data Assistance)、デジタルビデオカメラから構成され、図２に示すように、データ取得部００２、２つのデータ記憶部００３ａ、００３ｂ、姿勢検出部００４、記憶部特定部００５、選択用データ生成部００６、近接無線通信部００７、ＲＯＭ(Read Only Memory)００８、ＲＡＭ(Random Access Memory)００９、及び制御部０１０を備える。
【００３４】
データ取得部００２は、通信機能や撮像機能を有し、自装置の外部からデータを取得する。データ取得部００２は、例えば、ワイヤレスＬＡＮ(Local Area Network)などのネットワークに接続するＬＡＮカード等の無線通信装置、赤外線通信などの対向通信を行う通信装置、動画や静止画を撮像するカメラ装置などから構成される。
【００３５】
データ記憶部００３ａと００３ｂは、それぞれ、例えば、ＲＡＭ、ＥＥＰＲＯＭ(Electrically Erasable Programmable Read-Only Memory)、フラッシュメモリ、ＨＤＤ(Hard Disc Drive)などの記憶媒体から構成される。データ記憶部００３ａと００３ｂは、それぞれ、制御部０１０の書き込み制御に応じて、データ取得部００２が取得したデータを記憶し、また、制御部０１０の読み出し制御に応じて記憶データを読み出して提供する。
【００３６】
データ記憶部００３ａ、データ記憶部００３ｂとして、データ携帯装置００１から着脱可能な、ＤＶＤ（Digital Versatile Disc）やＢＤ（Blu-ray Disc）といった光ディスク媒体、磁気テープ、磁気ディスクといった磁気媒体、フラッシュメモリ、ポータブルＨＤＤ等の外部記憶媒体を適用してもよい。
【００３７】
姿勢検出部００４は、データ携帯装置００１のデータ記憶装置１０１に対する位置関係（位置、姿勢、向き、方向、距離等）を検出する。具体的には、姿勢検出部００４は、例えば、重力加速度を検出する加速度センサにより重力に対する方向、角速度センサ（ジャイロセンサ）を用いて角速度を積算することで回転角度を求める方法などを用いて、データ記憶装置１０１に対するデータ携帯装置００１の相対的な位置関係を検出する。
【００３８】
なお、以下の説明では、姿勢検出部００４は、加速度センサを備えるものとする。姿勢検出部００４は、加速度センサにより検出した地球重力加速度を、ＲＡＭ００９に記憶されている後述の相対位置関係検出用テーブルＴ１（図１０）と照合して、データ携帯装置００１のデータ記憶装置１０１に対する相対的な姿勢（向き）を検出（判別）する。
【００３９】
記憶部特定部００５は、制御部０１０の一機能として実現され、姿勢検出部００４が検出した相対的な姿勢を、ＲＡＭ００９に記憶されている後述の対象特定用テーブルＴ２（図１１）と照合して、送信対象のデータを、データ記憶部００３ａとデータ記憶部００３ｂのいずれから読み出すかを特定する。
【００４０】
選択用データ生成部００６は、制御部０１０の一機能として実現される。選択用データ生成部００６は、送信対象データをユーザに選択させるための画像（以下、選択用画像）をデータ記憶装置１０１の表示部１０４に表示するためのデータ（以下、選択用データ）を生成する。具体的には、記憶部特定部００５により特定されたデータ記憶部００３ａ又は００３ｂに記憶されているデータが、制御部０１０により読み出され、選択用データ生成部００６に供給される。選択用データ生成部００６は、供給されたデータに基づいて、
選択用データを生成する。
【００４１】
選択用データ生成部００６は、生成元のデータの内容がユーザに容易に把握或いは連想可能な形態で選択用データを生成する。具体的には、選択用データ生成部００６は、生成元のデータを識別するための識別情報、例えば、データのファイル名やファイルＩＤ等を選択用データ内に含める。また、データ記憶部に記憶されているデータが静止画像や動画である場合には、選択用データ生成部００６は、例えば、静止画像を縮小した画像や動画の一部を抽出した画像、いわゆるサムネイル画像を表示するためのデータと、画像のファイル名とから構成される選択用データを生成する。
【００４２】
選択用データ生成部００６により生成された選択用データは、近接無線通信部００７を介してデータ記憶装置１０１に送信される。データ記憶装置１０１の画像生成部１０３は、送信されてきた選択用データから選択用画像を生成し、表示部１０４に表示させる。
【００４３】
近接無線通信部００７は、近接無線通信、例えば、誘導電界を利用したＴｒａｎｓｆｅｒＪｅｔ（登録商標）やＢｌｕｅｔｏｏｔｈ（登録商標）やISO/IEC21481で規格されているＮＦＣ(Near Field Communication)により、データ記憶装置１０１との間で、データ記憶部００３ａ、００３ｂ内のデータ、選択用データ、データ受信要求及びデータ受信許可等の各種データの送受信を行う。
【００４４】
ＲＯＭ００８は、制御部０１０の機能を実現するためのプログラムデータを格納する記憶部である。
【００４５】
ＲＡＭ００９は、一時的なデータの保存や制御部０１０のワーク領域として使用される。また、ＲＡＭ００９は、姿勢検出部００４が、データ携帯装置００１のデータ記憶装置１０１に対する相対的な姿勢を検出するために用いる相対関係検出用テーブルＴ１（詳しくは後述）と、記憶部特定部００５が、姿勢検出部００４が検出した相対的な姿勢情報に基づいてデータ記憶部を特定するために用いる対象特定用テーブルＴ２（詳しくは後述）とを記憶している。なお、相対関係検出用テーブルＴ１及び対象特定用テーブルＴ２は、データ携帯装置００１の電源投入後にＲＯＭ００８又はデータ記憶部（００３ａ又は００３ｂ）からロードされる。
【００４６】
相対関係検出用テーブルＴ１は、データ記憶装置１０１に対するデータ携帯装置００１の相対位置と、そのときに姿勢検出部００４の検出値とを対応付けて記憶する。
例えば、姿勢検出部００４が加速度センサから構成される場合、相対関係検出用テーブルＴ１は、図１０に示すように、姿勢検出部００４が検出した加速度の範囲と姿勢とを対応付けて記憶する。具体的には、姿勢検出部００４が検出した地球重力加速度Ａが、予め設定されているＡ１以上で且つＡ２以下の場合は、姿勢検出部００４は予め指定された姿勢１にあると検出し、姿勢検出部００４が検出した地球重力加速度Ａが、予め設定されているＡ３以上で且つＡ４以下の場合は、姿勢検出部００４は予め設定された姿勢２にあると検出することが登録されている。
【００４７】
また、対象特定用テーブルＴ２は、検出された姿勢と姿勢毎にデータを読み出し対象となるデータ記憶部が対応付けられている。具体的には、図１１に示すように、姿勢検出部００４が姿勢１を検出した場合、データ記憶部００３ａをデータ読み出し先として特定し、姿勢２を検出した場合、データ記憶部００３ｂをデータ読み出し先として特定することが登録されている。また、対象特定用テーブルＴ２は、どのデータ記憶部が特定されたかを識別するためのフィールド（特定先欄）と、今回特定したデータ記憶部が前回特定したデータ記憶部から変更されているかを識別するためのフィールド（変更欄）が設けられており、これらのフィールドは各姿勢と姿勢毎に特定されるデータ記憶部と対応付けられている。
【００４８】
制御部０１０は、データ携帯装置００１の各部と接続されている。制御部０１０は、例えば、ＣＰＵを有し、動作プログラムに従いデータ携帯装置００１全体を制御する。具体的には、制御部０１０は、ＲＯＭ００８に予め記憶されたプログラムデータを読み出してＲＡＭ００９のワーク領域に展開し、その展開した動作プログラムを実行することにより、データ携帯装置００１全体の動作を制御する。
なお、動作プログラムは、制御部０１０を記憶部特定部００５及び選択用データ生成部００６として機能させるためのプログラムを含む。
【００４９】
次に、図３を参照して、データ記憶装置１０１について説明する。
【００５０】
データ記憶装置１０１は、例えば、スマートフォンやＰＤＡの外部記憶装置であり、図３が示すように、近接無線通信部１０２、画像生成部１０３、表示部１０４、操作部１０５、データ記憶部１０６、ＲＯＭ１０７、ＲＡＭ１０８及び制御部１０９を備えている。
【００５１】
近接無線通信部１０２は、近接無線通信、例えば、誘導電界を利用したＴｒａｎｓｆｅｒＪｅｔ（登録商標）やＢｌｕｅｔｏｏｔｈ（登録商標）やISO/IEC21481で規格されているＮＦＣにより、データ携帯装置００１の近接無線通信部００７との間で、各データ記憶部００３ａ，００３ｂ内のデータ、選択用データ、データ受信要求及びデータ受信許可等の各種データを送受信する。
【００５２】
画像生成部１０３は、制御部１０９の一機能として実現される。画像生成部１０３は、近接無線通信部１０２が受信した選択用データに基づいて、選択用画像（例えば、選択対象データが静止画像の場合、サムネイル画像とファイル名を示す画像）を生成する。
【００５３】
表示部１０４は、液晶表示パネル、ＥＬ（ElectroLuminescence)、表示パネル等を備え、画像生成部１０３が生成した選択用画像等を表示する。表示部１０４の表示画面に表示された選択用画像に対して、操作部１０５から画像の選択操作やデータの送信モードの入力操作を行うことにより、ユーザは所望するデータの送信を行うことができる。また、表示部１０４の表示画面上には、選択用画像の選択や送信モードの選択のための各種メッセージや、データ送信の進捗状況の表示なども制御部１０９の制御により表示される。
【００５４】
ここで、送信モードは、例えば、データ携帯装置００１のデータ記憶部００３ａ又はデータ記憶部００３ｂに記憶されているデータを複写して他の装置に送信するモード（以下、コピーモード）と、データを他の装置に移動するモード（以下、ムーブモード）とを含む。ユーザはデータ携帯装置００１から送信するデータを選択用画像にて選択した後、コピーモード又はムーブモードを選択する。
【００５５】
操作部１０５は、例えば、レリーズスイッチを含む操作キー、十字キー、ジョイスティック、表示部１０４の表示画面上に配置されたデジタイザ等の操作子で構成される。ユーザが操作部１０５を操作すると、操作部１０５は、操作内容に応じた操作信号を制御部１０９に出力し、制御部１０９は、出力された操作信号に対応した処理を実行する。
【００５６】
データ記憶部１０６は、ＲＡＭ、ＥＥＰＲＯＭ、フラッシュメモリ、ＨＤＤなどの記憶媒体から構成され、制御部１０９の制御に応じて、近接無線通信部１０２が取得したデータ等を記憶し、また、記憶データを読み出して制御部１０９に供給する。
【００５７】
データ記憶部１０６として、データ記憶装置１０１から着脱可能な、ＤＶＤやＢＤといった光ディスク媒体、磁気テープ、磁気ディスクといった磁気媒体、フラッシュメモリ、ポータブルＨＤＤ等の外部記憶媒体を適用してもよい。
【００５８】
ＲＯＭ１０７は、制御部１０９の機能を実現するためのプログラムを格納する。
【００５９】
ＲＡＭ１０８は、一時的なデータの保存や制御部１０９のワーク領域として使用される。
【００６０】
制御部１０９は、データ記憶装置１０１の各部と接続されている。制御部１０９は、例えばＣＰＵを有し、プログラムに従いデータ記憶装置１０１全体を制御する。具体的には、制御部１０９は、ＲＯＭ１０７に予め記憶されたプログラムを読み出してＲＡＭ１０８のワーク領域に展開し、その展開したプログラムを実行することにより、データ記憶装置１０１全体の動作を制御する。
【００６１】
次に、上記構成を有するデータ送受信システム１の動作を説明する。
ここでは理解を容易にするため、データ携帯装置００１に装着されているデータ記憶部００３ａ又は００３ｂに記憶されているデータを、データ記憶装置１０１のデータ記憶部１０６に転送（コピー又はムーブ）する動作を説明する。
【００６２】
この場合、ユーザは、図１に示すように、データ携帯装置００１をデータ記憶装置１０１の上に載置する。さらに、データ携帯装置００１が備えるデータ記憶部００３ａと００３ｂのうち、転送したいデータが格納されているデータ記憶部００３ａ又は００３ｂがデータ記憶装置１０１側となるように、データ携帯装置００１の姿勢を調整する。例えば、データ記憶部００３ａとデータ記憶装置１０１との間でデータを転送したい場合には、図４に示す姿勢でデータ携帯装置００１を配置し、一方、データ記憶部００３ｂとデータ記憶装置１０１との間でデータを転送したい場合には、図１及び図５に示す姿勢でデータ携帯装置００１を配置する。
【００６３】
続いて、ユーザは、データ携帯装置００１を操作して、データ携帯装置００１からデータ記憶装置１０１へのデータ転送を、例えば、図示せぬ操作部を操作することにより指示する。
【００６４】
この指示に応答して、データ携帯装置００１は、自己のデータ記憶装置１０１に対する相対的な位置関係（姿勢）を求め、求めた姿勢に基づいて、自己が備える２つのデータ記憶部００３ａと００３ｂのいずれがアクセス対象であるかを特定し、続いて、データ携帯装置００１とデータ記憶装置１０１は、特定したデータ記憶部００３ａ又は００３ｂの記憶データをデータ記憶装置１０１に転送する、という処理を行う。
【００６５】
以下、場面を分けて、各部の動作を説明する。
【００６６】
まず、図１、図４及び図５を参照して、データ携帯装置００１の姿勢を検出する方法について説明する。
【００６７】
ここでは、図１に示すように、データ携帯装置００１は、データ携帯装置００１の長手方向とデータ記憶装置１０１の奥行方向が一致するように、データ記憶装置１０１上に搭載されていると仮定する。
【００６８】
また、図１において、データ記憶装置１０１の長手方向をＸ軸方向、奥行方向をＹ軸方向、高さ方向をＺ軸方向とする。
【００６９】
さらに、データ携帯装置００１には、データ記憶部００３ａを構成するメモリカードと、データ記憶部００３ｂを構成するメモリカードが、Ｚ軸方向から見た場合にぴったり重なり合う（Ｘ軸方向とＹ軸方向の位置が等しくＺ軸方向の位置が異なる）ように、挿入スロットに挿入・装着されているものとする。
【００７０】
また、データ記憶装置１０１には、データ記憶部１０６を構成するＨＤＤ(Hard Disc Drive)が内蔵され、表示部１０４及び操作部１０５を構成するタッチパネルが設けられている。
【００７１】
図４に示すように、データ記憶部００３ａを構成するメモリカードがデータ記憶装置１０１側になるようにデータ携帯装置００１をデータ記憶装置１０１上に搭載した姿勢１においては、姿勢検出部００４の加速度センサは、地球重力加速度＋ｇを計測し、一方、図４の状態からデータ携帯装置００１を裏返しにした図５に示す姿勢２（データ記憶部００３ｂを構成するメモリカードがデータ記憶装置１０１側になるようにデータ携帯装置００１をデータ記憶装置１０１上に搭載した姿勢）においては、姿勢検出部００４の加速度センサは、地球重力加速度−ｇを計測する。
【００７２】
姿勢検出部００４は、検出した地球重力加速度ＡをＲＡＭ００９に記憶されている相対関係検出用テーブルＴ１（図１０）と照合することで、データ携帯装置００１とデータ記憶装置１０１との相対的な姿勢を検出する。  具体的には、姿勢検出部００４は、検出した地球重力加速度Ａが、値Ａ１以上で且つ値Ａ２以下の場合は、図４に示す姿勢１にあると検出し、姿勢検出部００４が検出した地球重力加速度Ａが、値Ａ３以上で且つ値Ａ４以下の場合は、図５に示す姿勢２にあると検出する。
【００７３】
記憶部特定部００５は、姿勢検出部００４により検出された相対的な姿勢をＲＡＭ００９に記憶されている対象特定用テーブルＴ２（図１１）と照合して、データの読み出し元となるデータ記憶部を特定する。
【００７４】
具体的には、姿勢検出部００４が姿勢１を検出した場合、記憶部特定部００５は、データ記憶部００３ａを読み出し先として特定し、姿勢検出部００４が姿勢２を検出した場合、記憶部特定部００５は、データ記憶部００３ｂを読み出し先として特定する。さらに、記憶部特定部００５は、特定したデータ記憶部に対応する特定先エリアにフラグ１を設定し、特定しなかったデータ記憶部に対応する特定先エリアにフラグ０を設定する。さらに、特定されたデータ記憶部が前回特定されたデータ記憶部から変更されている場合には、選択されたデータ記憶部に対応する変更エリアにフラグ１を、他方にフラグ０を設定する。
【００７５】
図１１に示す対象特定用テーブルＴ２の例は、記憶部特定部００５がデータ記憶部００３ａを特定し、今回特定されたデータ記憶部は前回特定されたデータ記憶部から変更されていることを示している。
【００７６】
次に、図６及び７を参照して、データ携帯装置００１が実行する処理について説明する。
【００７７】
データ携帯装置００１は、電源投入後は、図６，図７に示すデータ記憶部特定処理を繰り返して実行しており、制御部０１０は、近接無線通信部００７を制御し、データ記憶装置１０１から送信されてくるデータ受信要求コマンドを受信したか否かを判定する（ステップＳ１０１）。データ受信要求コマンドとは、データ携帯装置００１が送信するデータを、データ記憶装置１０１が受信することを要求するコマンドである。
【００７８】
データ受信要求コマンドを受信したと判定した場合は（ステップＳ１０１；ＹＥＳ）、制御部０１０は、近接無線通信部００７を制御し、データ記憶装置１０１に対してデータ受信許可コマンドを送信する（ステップＳ１０２）。データ受信許可コマンドとは、データ携帯装置００１が送信するデータを、データ記憶装置１０１が受信することを許可するコマンドである。
【００７９】
続いて、制御部０１０は、姿勢検出部００４を制御して、データ携帯装置００１の現在の姿勢に関する情報（以下、姿勢情報という）、すなわち、重力加速度センサの検出値を取得する。そして、取得した姿勢情報をＲＡＭ００９に記憶されている相対関係検出用テーブルＴ１と照合して、データ携帯装置００１とデータ記憶装置１０１の相対的な姿勢を求める（ステップＳ１０３）。
【００８０】
そして、制御部０１０は、記憶部特定部００５を制御して、姿勢検出部００４が検出した相対的な姿勢をＲＡＭ００９に記憶されている対象特定用テーブルＴ２と照合して、送信するデータの読み出し元となるデータ記憶部を特定すると共に、特定されたデータ記憶部における対象特定用テーブルＴ２の特定先欄の値を"１"にセットする（ステップＳ１０４）。
【００８１】
制御部０１０は、記憶部特定部００５により特定されたデータ記憶部００３ａ又は００３ｂからデータを読み出す（ステップＳ１０５）。選択用データ生成部００６は、制御部０１０が読み出したデータに基づいて、選択用データを生成する（ステップＳ１０６）。
【００８２】
制御部０１０は、近接無線通信部００７を制御して、選択用データ生成部００６が生成した選択用データを、データ記憶装置１０１に送信する（ステップＳ１０７）。
【００８３】
次に、制御部０１０は、姿勢検出部００４を制御して、再びデータ携帯装置００１の現在の姿勢情報を取得すると共に、取得した姿勢情報をＲＡＭ００９に記憶されている相対関係検出用テーブルＴ１と照合して、データ携帯装置００１のデータ記憶装置１０１に対する相対的な姿勢を検出する（ステップＳ１０８）。
【００８４】
そして、制御部０１０は、ＲＡＭ００９に記憶されている対象特定用テーブルＴ２の特定先欄を参照して、姿勢検出部００４が今回検出した相対的な姿勢と前回検出した相対的な姿勢とを比較することで、今回検出したデータ携帯装置００１の姿勢が前回検出したデータ携帯装置００１の姿勢から変化したか否かを判定する（ステップＳ１０９）。データ携帯装置００１の姿勢が変化したと判定された場合は（ステップＳ１０９；ＹＥＳ）、記憶部特定部００５は、姿勢検出部００４が今回検出した相対的な姿勢をＲＡＭ００９に記憶されている対象特定用テーブルＴ２と照合して、送信するデータの読み出し元となるデータ記憶部００３ａ又は００３ｂを特定し直すと共に、特定されたデータ記憶部００３ａ又は００３ｂにおける対象特定用テーブルＴ２の特定先欄と変更欄の値を"１"にし、前回特定されていたデータ記憶部の特定先欄の値を"０"にする（ステップＳ２０１）。
【００８５】
そして、制御部０１０は、近接無線通信部００７を制御し、データ記憶装置１０１に対して、選択用画像の消去指示コマンドを送信する（ステップＳ２０２）。その後、ステップＳ１０３の処理に戻り、前述の処理を繰り返す。
【００８６】
一方、相対的な姿勢が変化していないと判定された場合（ステップＳ１０９；ＮＯ）、全ての選択用データを送信したか否かを判定する（ステップＳ１１０）。
【００８７】
送信していない選択用データが残っていると判定された場合は（ステップＳ１１０；ＮＯ）、ステップＳ１０５の処理に戻り、前述の処理を繰り返す。一方、全ての選択用データを送信したと判定された場合は（ステップＳ１１０；ＹＥＳ）、制御部０１０は、姿勢検出部００４を制御して、再びデータ携帯装置００１の現在の姿勢情報を取得し、取得した姿勢情報をＲＡＭ００９に記憶されている相対関係検出用テーブルＴ１と照合して、データ携帯装置００１とデータ記憶装置１０１の相対的な姿勢を検出する（ステップＳ１１１）。
【００８８】
そして、制御部０１０は、ＲＡＭ００９に記憶されている対象特定用テーブルＴ２の特定先欄を参照して、前回検出した相対的な姿勢を特定して、今回検出した相対的な姿勢と前回検出した相対的な姿勢とを比較し、データ携帯装置００１の姿勢が変化したか否かを判定する（ステップＳ１１２）。
【００８９】
データ携帯装置００１の相対的な姿勢が変化したと判定された場合は（ステップＳ１１２；ＹＥＳ）、記憶部特定部００５は、姿勢検出部００４が今回検出した相対的な姿勢をＲＡＭ００９に記憶されている対象特定用テーブルＴ２と照合して、送信するデータの読み出し元となるデータ記憶部を特定し直すと共に、特定されたデータ記憶部における対象特定用テーブルＴ２の特定先欄と変更欄の値を"１"にし、前回特定されていたデータ記憶部の特定先欄の値を"０"にする（ステップＳ３０１）。
【００９０】
そして、制御部０１０は、近接無線通信部００７を制御し、選択用画像の消去指示コマンドをデータ記憶装置１０１に対して送信する（ステップＳ３０２）。その後、ステップＳ１０３の処理に戻り、前述の処理を繰り返す。
【００９１】
一方、データ携帯装置００１の姿勢が変化していないと判定された場合（ステップＳ１１２；ＮＯ）、ユーザがデータ携帯装置００１から送信するデータを指示するために選択した選択用画像に関する情報（以下、選択画像情報）を、データ記憶装置１０１から受信したか否かを判定する（ステップＳ１１３）。
【００９２】
選択画像情報を受信していないと判定された場合は（ステップＳ１１３；ＮＯ）、ステップＳ１１１の処理に戻り、前述の処理を繰り返す。
【００９３】
一方、選択画像情報を受信したと判定された場合は（ステップＳ１１３；ＹＥＳ）、ユーザがデータ携帯装置００１から送信するデータの送信モードに関する情報（以下、送信モード情報）を、データ記憶装置１０１から受信したか否かを判定する（ステップＳ１１４）。
【００９４】
送信モード情報を受信していないと判定された場合は（ステップＳ１１４；ＮＯ）、ステップＳ１１１の処理に戻り、前述の処理を繰り返す。一方、送信モード情報を受信したと判定された場合は（ステップＳ１１４；ＹＥＳ）、制御部０１０は、データ記憶装置１０１から送信されてきた選択画像情報に基づいて、特定されたデータ記憶部からユーザが選択したデータを読み出し、近接無線通信部００７を制御して、読み出したデータを送信する（ステップＳ１１５）。
【００９５】
そして、制御部０１０は、データ記憶装置１０１から送信されてきた送信モード情報に基づいて、ステップＳ１１５の処理で読み出したデータに対して必要な処理を行う（ステップＳ１１６）。具体的には、ユーザに指定された送信モードがコピーモードの場合は、選択されたデータの読み出し処理のみを行い、ムーブモードの場合は、選択されたデータの消去処理を行う。
【００９６】
そして、制御部０１０は、ユーザからデータ受信処理の終了指示がされたか否かを判定する（ステップＳ１１７）。具体的には、ユーザによる終了指示があった際にデータ記憶装置１０１から送信される終了指示コマンドを受信したか否かを判定することで、データ受信処理の終了指示がされたか否かを判定する。終了指示が無い場合は（ステップＳ１１７；ＮＯ）、ステップＳ１０１の処理に戻り、前述の処理を繰り返す。一方、終了指示がされたと判定された場合は（ステップＳ１１７；ＹＥＳ）、対象特定用テーブルＴ２の特定先欄と変更欄を初期化して、データ記憶部特定処理を終了する。
【００９７】
次に、図８及び図９を参照して、データ記憶装置１０１が実行する処理について説明する。
【００９８】
データ記憶装置１０１の制御部１０９は、近接無線通信部１０２を制御し、データ携帯装置００１に対してデータ受信要求コマンドを送信すると共に、タイマ（不図示）をスタートさせる。（ステップＳＴ１０１）。そして、制御部１０９は、近接無線通信部１０２を制御し、データ携帯装置００１から送信されてくるデータ受信許可コマンドを受信したか否かを判定する（ステップＳＴ１０２）。
【００９９】
データ受信許可コマンドを受信しなかったと判定された場合は（ステップＳＴ１０２；ＮＯ）、制御部１０９は、タイマがタイムアウトしたか否かを判定する（ステップＳＴ２０１）。タイマがタイムアウトしていないと判定された場合は（ステップＳＴ２０１；ＮＯ）、ステップＳＴ１０２の処理に戻り、前述の処理を繰り返す。一方、タイマがタイムアウトしたと判定された場合は（ステップＳＴ２０１；ＹＥＳ）、ステップＳＴ１０１の処理に戻り、前述の処理を繰り返し、データ携帯装置００１から送信されてくるデータ受信許可コマンドの受信を待つ。
【０１００】
一方、データ受信許可コマンドを受信したと判定された場合は（ステップＳＴ１０２；ＹＥＳ）、制御部１０９は、近接無線通信部１０２を制御し、データ携帯装置００１から送信されてくる選択用データを受信したか否かを判定し（ステップＳＴ１０３）、選択用データを受信していないと判定された場合は（ステップＳＴ１０３；ＮＯ）、ステップＳＴ１０３の処理を繰り返し、選択用データの受信を待つ。
【０１０１】
一方、選択用データを受信したと判定された場合は（ステップＳＴ１０３；ＹＥＳ）、制御部１０９は、画像生成部１０３を制御し、受信した選択用データに基づいて、選択用画像を生成する（ステップＳＴ１０４）。そして、制御部１０９は、表示部１０４を制御し、表示部１０４の表示画面上に生成した選択画像を表示する（ステップＳＴ１０５）。
【０１０２】
そして、制御部１０９は、近接無線通信部１０２が選択用画像の消去指示コマンドを受信したか否かを判定し（ステップＳＴ１０６）、選択用画像の消去指示コマンドを受信したと判定された場合は（ステップＳＴ１０６；ＹＥＳ）、制御部１０９は、表示部１０４を制御し、表示部１０４の表示画面上に表示された選択用画像を消去する（ステップＳＴ３０１）。その後、ステップＳＴ１０３の処理に戻り、前述の処理を繰り返す。
【０１０３】
なお、ステップＳＴ１０６及びＳＴ３０１の処理は、選択用画像を表示画面に表示している最中に、データ携帯装置００１が動かされ、送信データの読み出し先として特定されたデータ記憶部が変更された場合に必要な処理であり、図６のステップＳ２０２の処理に対応した処理である。
【０１０４】
図８に戻り、選択用画像の消去指示コマンドを受信していないと判定された場合は（ステップＳＴ１０６；ＮＯ）、制御部１０９は、全ての選択用データを受信したか否かを判定し（ステップＳＴ１０７）、全ての選択用データを受信していないと判定された場合は（ステップＳＴ１０７；ＮＯ）、ステップＳＴ１０３の処理に戻り、上述の処理を繰り返す。
【０１０５】
一方、全ての選択用データを受信したと判定された場合は（ステップＳＴ１０７；ＹＥＳ）、制御部１０９は、ユーザが操作部１０５を操作することで入力される選択用画像情報と送信モード情報の受け付けを開始する（ステップＳＴ１０８）。
【０１０６】
そして、制御部１０９は、近接無線通信部１０２が選択用画像の消去指示コマンドを受信したか否かを判定し（ステップＳＴ１０９）、選択用画像の消去指示コマンドを受信したと判定された場合は（ステップＳＴ１０９；ＹＥＳ）、制御部１０９は、表示部１０４を制御し、表示部１０４の表示画面上に表示された選択用画像を消去し、選択用画像情報と送信モード情報の受け付けを終了する（ステップＳＴ４０１）。この際、既に選択用画像情報と送信モード情報が入力されている場合は、それらの情報を削除し、その後、ステップＳＴ１０３の処理に戻り、前述の処理を繰り返す。
【０１０７】
なお、ステップＳＴ１０９及びＳＴ４０１の処理は、ユーザが送信するデータを選択している最中に、データ携帯装置００１が動かされ、送信データの読み出し先として特定されたデータ記憶部が変更された場合に必要な処理であり、図７のステップＳ３０２の処理に対応した処理である。
【０１０８】
図８に戻り、選択用画像の消去指示コマンドを受信していないと判定された場合は（ステップＳＴ１０９；ＮＯ）、制御部１０９は、選択用画像情報と送信モード情報が入力された否かを判定し（ステップＳＴ１１０）、選択用画像情報と送信モード情報が入力されていないと判定された場合は（ステップＳＴ１１０；ＮＯ）、ステップＳＴ１０９の処理に戻り、前述の処理を繰り返す。一方、選択用画像情報と送信モード情報が入力されたと判定された場合は（ステップＳＴ１１０；ＹＥＳ）、制御部１０９は、近接無線通信部１０２を制御し、入力された選択画像情報をデータ携帯装置００１へ送信し（ステップＳＴ１１１）、さらに、入力された送信モード情報をデータ携帯装置００１へ送信する（ステップＳＴ１１２）。
【０１０９】
そして、制御部１０９は、選択画像情報に基づいて、データ携帯装置００１から送信されるてくるデータを、近接無線通信部１０２が受信したか否かを判定する（ステップＳＴ１１３）。データを受信していないと判定された場合は（ステップＳＴ１１３；ＮＯ）、ステップＳＴ１１３の処理を繰り返し、データが受信されるのを待つ。
【０１１０】
一方、データを受信したと判定された場合は（ステップＳＴ１１３；ＹＥＳ）、制御部１０９は、データ記憶部１０６に受信したデータを記憶する（ステップＳＴ１１４）。そして、制御部１０９は、選択画像情報に基づいて、近接無線通信部１０２が全てのデータを受信したか否かを判定する（ステップＳＴ１１５）。全てのデータを受信していないと判定された場合は（ステップＳＴ１１５；ＮＯ）、ステップＳＴ１１３の処理へ戻り、前述の処理を繰り返す。
【０１１１】
一方、全てのデータを受信したと判定された場合は（ステップＳＴ１１５；ＹＥＳ）、制御部１０９は、ユーザからデータ受信処理の終了指示がされたか否かを判定する（ステップＳＴ１１６）。ここで、データ受信処理の終了指示とは、例えば、操作部１０５から受信処理の終了を指示する入力があった場合等を指す。
【０１１２】
終了指示がされていないと判定された場合は（ステップＳＴ１１６；ＮＯ）、ステップＳＴ１０１の処理に戻り、前述の処理を繰り返す。一方、終了指示がされたと判定された場合は（ステップＳＴ１１６；ＹＥＳ）、制御部１０９は、例えば、その終了指示が操作部１０５から指示されたものであれば、終了指示コマンドを生成し終了指示コマンドをデータ携帯装置００１へ送信し、データ受信処理を終了する。
【０１１３】
このような構成とすることにより、例えば、ユーザが図１に示す状態で、データの転送を指示したとすると、データ携帯装置００１は、加速度センサの測定に基づいて姿勢２と判別され（ステップＳ１０３）、姿勢２に対応するデータ記憶部００３ｂが特定され（ステップＳ１０４）、特定されたデータ記憶部００３ｂからデータを順次読み出して（ステップＳ１０５）、選択用データが生成され（ステップＳ１０６）、データ記憶装置１０１に送信される（ステップＳ１０７）。
【０１１４】
一方、データ記憶装置１０１は、送信された選択用データを順次受信し（ステップＳＴ１０３）、選択用画像を生成し、表示する（ステップＳＴ１０４，１０５）。
【０１１５】
ここで、ユーザが、表示された選択用画像の中から任意の選択用画像と送信モード（コピー又はムーブ）を指定すると（ステップＳＴ１１０；ＹＥＳ）、これらの情報は、データ携帯装置００１に伝達される（ステップＳＴ１１１，ＳＴ１１２）。
【０１１６】
データ携帯装置００１は、送信された選択用画像情報と送信モードとを受信し（ステップＳ１１３，Ｓ１１４）、選択されたデータを読み出して送信し（ステップＳ１１５）、指定された送信モードがムーブの場合には、対応するデータを消去する（ステップＳ１１６）。
【０１１７】
データ記憶装置１０１は、データ携帯装置００１から送信されたデータを順次受信し（ステップＳＴ１１３；ＹＥＳ）、記憶する（ステップＳＴ１１４）。
【０１１８】
こうして、一方、ユーザが、例えば、表示された選択用画像の中に希望するものが存在しない場合等、データ記憶部を誤って選択していることに気が付いた場合には、ユーザは、データ携帯装置００１の姿勢（表裏）を変更する。これにより、姿勢が変化したことがステップＳ１０９、Ｓ１１２で検出され、データ記憶装置１０１に消去指示コマンドを送信して（Ｓ２０２、Ｓ３０２）、データ記憶装置１０１の表示部に表示されている選択用データを消去する（ステップＳＴ３０１，ＳＴ４０１）。その後、変更された姿勢に対応した処理が行われる。
【０１１９】
以上説明したように、本実施の形態によれば、データ携帯装置００１の載置の姿勢（表裏）を切り替えるという簡単な操作で、複数のデータ記憶部のうちからアクセス対象のデータ記憶装置を選択することができ、直観的な操作が可能となる。
【０１２０】
なお、以上の説明では、理解を容易にするため、データ携帯装置００１の選択されたデータ記憶部００３ａ又は００３ｂからデータ記憶装置１０１にデータを送信する例を説明したが、データ携帯装置００１のデータ記憶部００３ａ又は００３ｂにデータ記憶装置１０１に記憶されているデータを送信する場合や、データ携帯装置００１のデータ記憶部００３ａ又は００３ｂにアクセスして記憶データを編集・加工する場合等にも適用可能である。
【０１２１】
（実施形態２）
実施形態１では、姿勢検出部００４は、加速度センサを備え、データ携帯装置００１のデータ記憶装置１０１に対する相対的な姿勢を検出した。本実施形態では、図１２及び図１３が示すように、データ携帯装置００１とデータ記憶装置１０１には、受信部としての電波受信素子と送信部としての電波送信素子がそれぞれ１つずつ内蔵され、姿勢検出部００４は、受信部０１１が受信する電波の強度を測定することで、データ携帯装置００１のデータ記憶装置１０１に対する相対的な姿勢を検出する。
【０１２２】
データ携帯装置００１は、加速度センサの替わりに受信部０１１と送信部０１２を備え、それ以外の構成は、実施形態１と同様の構成である。また、データ記憶装置１０１は、受信部１１０と送信部１１１を備え、それ以外の構成は、実施形態１と同様の構成である。
データ携帯装置００１の送信部０１２から送信された電波は、データ記憶装置１０１の受信部１１０によって受信可能となっており、データ記憶装置１０１の送信部１１１から送信された電波は、データ携帯装置００１の受信部０１１によって受信可能となっている。
【０１２３】
ここで、図１４及び図１５を参照して、姿勢検出部００４が、受信部０１１が受信する電波の強度を測定することで、データ携帯装置００１のデータ記憶装置１０１に対する相対的な姿勢をどのように検出するのか、また、記憶部特定部００５が、検出された相対的な姿勢に基づき、データ記憶部をどのように特定するのかについて例を示して説明する。  なお、本実施形態では、データ携帯装置００１をデータ記憶装置１０１上に搭載する位置は予め決められているものとする。
【０１２４】
図１４は、データ記憶部００３ａがデータ記憶部００３ｂよりデータ記憶装置１０１側になるようにデータ携帯装置００１を載せた状態において、前面視した図である。一方、図１５は、図１４におけるデータ携帯装置００１の状態からデータ携帯装置００１を裏返しにし、データ記憶部００３ｂがデータ記憶部００３ａよりデータ記憶装置１０１側になるようにデータ携帯装置００１を載せた状態において、前面視した図である。
【０１２５】
データ携帯装置００１の受信部０１１と送信部０１２は、Ｙ座標とＺ座標が等しく、Ｘ座標のみが異なるように配置されている。同様に、データ記憶装置１０１の受信部１１０と送信部１１１は、Ｙ座標とＺ座標が等しく、Ｘ座標のみが異なるように配置されている。
【０１２６】
図１４におけるデータ携帯装置００１の姿勢（データ記憶部００３ａがデータ記憶装置１０１側）では、データ携帯装置００１の受信部０１１とデータ記憶装置１０１の送信部１１１の距離は、図１５におけるデータ携帯装置００１の姿勢（データ記憶部００３ｂがデータ記憶装置１０１側）と比べて遠いことから、図１４におけるデータ携帯装置００１の状態の方が受信部０１１で受信される電波の強度は小さくなる。
【０１２７】
このように、姿勢検出部００４は、受信部０１１で受信した電波の強度を測定し、測定した受信電波強度をＲＡＭ００９に記憶されている相対関係検出用テーブルＴ１（図１６）と照合して、データ携帯装置００１のデータ記憶装置１０１に対する相対的な姿勢（本実施形態においては、データ記憶部００３ａと００３ｂのどちらがデータ記憶装置１０１側にあるか）を検出する。
【０１２８】
そして、記憶部特定部００５は、検出された相対的な姿勢を対象特定用テーブルＴ２（図１１）と照合して、データの読み出し先となるデータ記憶部を特定する。
【０１２９】
ここで、図１６は、本実施形態における相対関係検出用テーブルＴ１の例を示す図である。本実施形態では、図１６が示すように、相対関係検出用テーブルＴ１は、受信電波強度と各姿勢とが対応付けられている。例えば、図１４におけるデータ携帯装置００１の状態で受信部０１１が受信した電波の受信電波強度ＸがＸ１≦Ｘ≦Ｘ２の時は、姿勢検出部００４は姿勢１を検出する。そして姿勢検出部００４が姿勢１を検出した場合、記憶部特定部００５は、図１１に示す対象特定用テーブルＴ２を参照して、データ記憶部００３ａを特定する。
本実施形態においては、姿勢１は、データ記憶部００３ａがデータ記憶装置１０１側になるようにデータ携帯装置００１が載せられた状態を意味する。また、姿勢２は、データ記憶部００３ｂがデータ記憶装置１０１側になるようにデータ携帯装置００１が載せられた状態を意味する。
【０１３０】
このような構成によっても、ユーザの直観的な操作で、アクセス対象のデータ記憶部を選択することができる。
【０１３１】
（変形例１）
次に、図１７及び図１８を参照して、実施形態２の変形例１について説明する。図１７が示すように、データ携帯装置００１は、受信部０１３をさらに備える。受信部０１３は、データ記憶装置１０１の送信部１１１から送信された電波を受信可能となっている。
なお、データ携帯装置００１が２つの受信部を備える以外は、本変形例におけるデータ携帯装置００１とデータ記憶装置の構成は、実施形態２におけるデータ携帯装置００１とデータ記憶装置の構成と同様である。また、本変形例では、データ携帯装置００１をデータ記憶装置１０１上に搭載する位置は予め決められているものとする。
【０１３２】
姿勢検出部００４は、受信部０１１と受信部０１３で受信される電波の強度を測定し、両者を比較することで、データ携帯装置００１のデータ記憶装置１０１に対する相対的な姿勢を検出する。
【０１３３】
図１７に示すデータ携帯装置００１の姿勢（データ記憶部００３ａがデータ記憶装置１０１側）では、データ記憶装置１０１の送信部１１１とデータ携帯装置００１の受信部０１１の距離は、データ記憶装置１０１の送信部１１１とデータ携帯装置００１の受信部０１３の距離に比べて長い。従って、受信部０１１で受信される電波の強度は受信部０１３で受信される電波の強度より小さくなる。
【０１３４】
一方、図１８に示すデータ携帯装置００１の姿勢（データ記憶部００３ｂがデータ記憶装置１０１側）では、データ記憶装置１０１の送信部１１１とデータ携帯装置００１の受信部０１１の距離は、データ記憶装置１０１の送信部１１１とデータ携帯装置００１の受信部０１３の距離と比べて短い。従って、受信部０１１で受信される電波の強度は受信部０１３で受信される電波の強度より大きくなる。
【０１３５】
このように、姿勢検出部００４は、受信部０１１と受信部０１３で受信される電波の強度をそれぞれ測定し、比較する。そして、姿勢検出部００４は、比較結果を相対関係検出用テーブルＴ１（図１９）と照合して、データ携帯装置００１のデータ記憶装置１０１に対する相対的な姿勢（本実施形態では、どちらのデータ記憶部がデータ記憶装置１０１側か）を検出する。そして、記憶部特定部００５は、検出された姿勢情報を対象特定用テーブルＴ２（図１１）と照合して、データの読み出し先となるデータ記憶部を特定する。
【０１３６】
ここで、図１９は、本変形例における相対関係検出用テーブルＴ１の例を示す図である。図１９が示すように、受信部０１３で受信される電波の強度が受信部０１１で受信される電波の強度より大きい場合には、姿勢検出部００４は、姿勢１を特定する。そして、姿勢検出部００４が姿勢１を検出した場合、記憶部特定部００５は、図１１に示す対象特定用テーブルＴ２を参照して、アクセス対象としてデータ記憶部００３ａを特定する。
本変形例においては、姿勢１は、データ記憶部００３ａがデータ記憶装置１０１側になるようにデータ携帯装置００１が載せられた状態を意味する。また、姿勢２は、データ記憶部００３ｂがデータ記憶装置１０１側になるようにデータ携帯装置００１が載せられた状態を意味する。
【０１３７】
（変形例２）
次に、図２０及び図２１を参照して、実施形態２の変形例２について説明する。図２０が示すように、データ記憶装置１０１は、送信部１１２をさらに備え、データ携帯装置００１の受信部０１１は、データ記憶装置１０１の送信部１１１と送信部１１２から送信される電波を受信可能となっている。送信部１１１と送信部１１２から送信された電波には、どの送信部から送信された電波かを判別するためのデータ、例えば、送信部毎に割り振られたＩＤを示すデータが含まれている。
なお、データ記憶装置１０１が２つの送信部を備える以外は、本変形例におけるデータ携帯装置００１とデータ記憶装置１０１の構成は、実施形態２におけるデータ携帯装置００１とデータ記憶装置１０１の構成と同様である。また、本変形例では、データ携帯装置００１をデータ記憶装置１０１上に搭載する位置は予め決められているものとする。
【０１３８】
図２０におけるデータ携帯装置００１の姿勢（データ記憶部００３ａがデータ記憶装置１０１側）では、データ携帯装置００１の受信部０１１とデータ記憶装置１０１の送信部１１１の距離は、データ携帯装置００１の受信部０１１とデータ記憶装置１０１の送信部１１２の距離と比べて長い。このため、データ携帯装置００１の受信部０１１で受信される電波の強度は、送信部１１２の電波よりも送信部１１１の電波の方が小さくなる。
【０１３９】
一方、図２１におけるデータ携帯装置００１の姿勢（データ記憶部００３ｂがデータ記憶装置１０１側）では、データ携帯装置００１の受信部０１１とデータ記憶装置１０１の送信部１１１の距離は、データ携帯装置００１の受信部０１１とデータ記憶装置１０１の送信部１１２の距離と比べて短い。このため、データ携帯装置００１の受信部０１１で受信される電波の強度は、送信部１１２の電波よりも送信部１１１の電波の方が大きくなる。
【０１４０】
このように、姿勢検出部００４は、受信部０１１が受信する送信部１１１と送信部１１２とから送信される電波の強度をそれぞれ測定し、比較する。そして、姿勢検出部００４は、比較結果をＲＡＭ００９に記憶されている相対関係検出用テーブルＴ１（図２２）と照合して、データ携帯装置００１のデータ記憶装置１０１に対する相対的な姿勢（本変形例では、どちらのメモリカードがデータ記憶装置１０１側か）を検出する。そして、記憶部特定部００５は、検出された姿勢情報を対象特定用テーブルＴ２（図１１）と照合して、データの読み出し先となるデータ記憶部を特定する。
【０１４１】
ここで、図２２は、本変形例における相対関係検出用テーブルＴ１の例を示す図である。図２２が示すように、送信部１１２から送信される電波の受信強度が送信部１１１から送信される電波の受信強度より大きい場合、すなわち、図２０におけるデータ携帯装置００１の状態では、姿勢検出部００４は、姿勢１を特定する。そして、姿勢検出部００４が姿勢１を検出した場合、記憶部特定部００５は、図１１に示す対象特定用テーブルＴ２を参照して、データ記憶部００３ａを特定する。
本変形例においては、姿勢１は、データ記憶部００３ａがデータ記憶装置１０１側になるようにデータ携帯装置００１が載せられた状態を意味する。また、姿勢２は、データ記憶部００３ｂがデータ記憶装置１０１側になるようにデータ携帯装置００１が載せられた状態を意味する。
【０１４２】
（実施形態３）
実施形態１及び２では、姿勢検出部００４は、データ携帯装置００１のデータ記憶装置１０１に対する相対的な姿勢を検出し、記憶部特定部００５は、検出された相対的な姿勢に基づいて、データ記憶部を特定した。本実施形態では、受信部が受信した電波の強度により、データ携帯装置００１のデータ記憶装置１０１に対する相対的な位置を検出し、この相対的な位置関係に基づいて、データ記憶部を特定する。
【０１４３】
図２３及び図２４を参照して、検出された相対的な位置に基づいて、どのようにデータ記憶部を特定するのかを説明する。なお、本実施形態においては、姿勢検出部００４を位置検出部００４と呼ぶことにする。
【０１４４】
図２３に示すように、本実施形態におけるデータ携帯装置００１とデータ記憶装置１０１の構成は、データ記憶部、受信部及び送信部の配置を除き、実施形態２の構成と同様である。実施形態１及び２では、データ記憶部を構成するメモリカードの挿入スロットは、Ｚ座標のみ異なるように配置したが、本実施形態では、メモリカードの挿入スロットは、Ｘ座標のみ異なるように配置している。
【０１４５】
図２３及び図２４に示すように、図２３におけるデータ携帯装置００１の位置でのデータ携帯装置００１の受信部０１１とデータ記憶装置１０１の送信部１１１の距離は、図２４におけるデータ携帯装置００１の位置でのデータ携帯装置００１の受信部０１１とデータ記憶装置１０１の送信部１１１の距離と比べて近いことから、図２４におけるデータ携帯装置００１の位置より図２３におけるデータ携帯装置００１の位置の方が受信部０１１で受信される電波の強度は大きくなる。
【０１４６】
このように、位置検出部００４は、受信部０１１で受信される電波の強度を測定し、検出された電波強度をＲＡＭ００９に記憶されている相対関係検出用テーブルＴ１（図２５）と照合して、データ携帯装置００１のデータ記憶装置１０１に対する相対的な位置を検出する。そして、記憶部特定部００５は、検出された相対的な位置をＲＡＭ００９に記憶されている対象特定用テーブルＴ２（図２６）と照合して、データの読み出し先となるデータ記憶部を特定する。
【０１４７】
ここで、図２５は、本実施形態における相対関係検出用テーブルＴ１の例を示す図である。本実施形態における相対関係検出用テーブルＴ１では、受信電波強度と相対的な位置とが対応付けられている。例えば、図２３におけるデータ携帯装置００１の位置での受信電波強度ＸがＸ１≦Ｘ≦Ｘ２の場合は、位置検出部００４は、位置１を特定する。
本実施形態においては、位置１は、データ携帯装置００１の左側面がデータ記憶装置１０１の左側面に沿うようにデータ携帯装置００１がデータ記憶装置１０１上に載せられた状態（図２３の状態）を意味する。また、位置２は、データ記憶装置１０１の左側面から右寄りに離してデータ携帯装置００１がデータ記憶装置１０１上に載せられた状態（図２４の状態）を意味する。もちろん、データ記憶装置１０１の搭載面上に、各位置が特定されるエリアをユーザが認識できるようにしてもよい。
【０１４８】
次に、図２６は、本実施形態における対象特定用テーブルＴ２の例を示す図である。図２６が示すように、位置検出部００４が位置１を検出した場合、記憶部特定部００５は、データ記憶部００３ａを特定する。
【０１４９】
（実施形態４）
実施形態１乃至３では、データ携帯装置００１のデータ記憶装置１０１に対する相対的な姿勢又は位置を検出して、検出された相対的な姿勢又は位置に基づいて、送信データの読み出し先となるデータ記憶部を特定した。本実施形態では、データ携帯装置００１のデータ記憶装置１０１に対する相対的な向きを検出し、検出された相対的な向きに基づいて、送信データの読み出し先となるデータ記憶部を特定する。
【０１５０】
図２７及び図２８が示すように、データ携帯装置００１とデータ記憶装置１０１がそれぞれ方向検出部０１４と方向検出部１１３を備えることとメモリカードの挿入スロットの配置以外は、本実施形態におけるデータ携帯装置００１とデータ記憶装置１０１の構成は、実施形態１におけるデータ携帯装置００１とデータ記憶装置１０１の構成と同じである。
【０１５１】
方向検出部１１３は、例えば、ジャイロセンサ、地磁気センサ等を備え、データ記憶装置１０１の内部基準軸の方位を検出することで、データ記憶装置１０１の方向を検出する。方向検出部１１３が検出したデータ記憶装置１０１の方向に関する情報（以下、方向情報）は、制御部１０９により読み出され、近接無線通信部１０２を介してデータ携帯装置００１に送信される。送信されたデータ記憶装置１０１の方向情報は、近接無線通信部０
０７で受信され、制御部０１０により方向検出部０１４に送られる。
【０１５２】
方向検出部０１４は、例えば、ジャイロセンサ、地磁気センサ等を備え、データ携帯装置００１の内部基準軸の方位を検出することで、データ携帯装置００１の方向を検出する。また、方向検出部０１４は、データ記憶装置１０１の方位検出部１１３が検出したデータ記憶装置１０１の方向と、方位検出部０１４が検出したデータ携帯装置００１の方向とに基づいて、データ記憶装置１０１の内部基準軸を基準にした、データ携帯装置００１の内部基準軸のずれ（角度）を算出する。そして、方向検出部０１４は、算出されたずれ（角度）をＲＡＭ００９に記憶されている相対関係検出用テーブルＴ１（図３１）と照合して、データ携帯装置００１のデータ記憶装置１０１に対する相対的な向きを検出する。
【０１５３】
ここで、図２９及び図３０を参照して、方向検出部０１４と方向検出部１１３がそれぞれ検出するデータ携帯装置００１とデータ記憶装置１０１の方向に基づいて、データ記憶部がどのように特定されるかについて例を示して説明する。
【０１５４】
図２９におけるデータ携帯装置００１の姿勢では、データ記憶部００３ａとしてのメモリカードの挿入スロットはデータ携帯装置００１の前面にあり、データ記憶部００３ｂとしてのメモリカードの挿入スロットはデータ携帯装置００１の右側側面にある。図２９におけるデータ携帯装置００１の状態では、データ携帯装置００１の方位センサが検出するデータ携帯装置００１の方向とデータ記憶装置１０１の方位センサが検出するデータ記憶装置１０１の方向は同じである。すなわち、データ記憶装置１０１の内部基準軸を基準にした、データ携帯装置００１の内部基準軸のずれ（角度）は"０"度である。
【０１５５】
一方、図３０におけるデータ携帯装置００１の姿勢（図２９の状態からデータ携帯装置００１を時計回りに"９０"度回転した姿勢）では、データ記憶部００３ａとしてのメモリカードの挿入スロットはデータ携帯装置００１の左側側面にあり、データ記憶部００３ｂとしてのメモリカードの挿入スロットはデータ携帯装置００１の前面にある。図３０におけるデータ携帯装置００１の状態では、データ記憶装置１０１の内部基準軸を基準にした、データ携帯装置００１の内部基準軸のずれ（角度）は"９０"度である。
【０１５６】
このように、方向検出部０１４は、各方向検出部が検出したデータ携帯装置００１の方向とデータ記憶装置１０１の方向に基づいて、データ記憶装置１０１の内部基準軸を基準にした、データ携帯装置００１の内部基準軸のずれ（角度）を算出する。そして、算出した角度をＲＡＭ００９に記憶されている相対関係検出用テーブルＴ１（図３１）と照合して、データ携帯装置００１のデータ記憶装置１０１に対する相対的な向きを検出する。そして、記憶部特定部００５は、検出された相対的な向きをＲＡＭ００９に記憶されている対象特定用テーブルＴ２（図３２）と照合して、送信データの読み出し先となるデータ記憶部を特定する。
【０１５７】
ここで、図３１は、本実施形態における相対関係検出用テーブルＴ１の例を示す図である。相対関係検出用テーブルＴ１には、データ記憶装置１０１の内部基準軸を基準にした、データ携帯装置００１の内部基準軸のずれ（角度）と相対的な向きとが対応付けられている。例えば、図２９におけるデータ携帯装置００１の状態で方向検出部０１４が算出した方向のずれ（角度）"０"度がθ１≦"０"≦θ２の場合は、方向検出部０１４は、向き１を検出する。
本実施形態においては、向き１は、データ記憶部００３ａとしてのメモリカードの挿入スロットはデータ携帯装置００１の前面になるようにデータ携帯装置００１がデータ記憶装置１０１上に載せられた状態、すなわち、図２９の状態を意味する。また、向き２は、データ記憶部００３ｂとしてのメモリカードの挿入スロットはデータ携帯装置００１の前面になるようにデータ携帯装置００１がデータ記憶装置１０１上に載せられた状態、すなわち、図３０の状態を意味する。
【０１５８】
次に、図３２は、本実施形態における対象特定用テーブルＴ２の例を示す図である。図３２が示すように、方位検出部０１４が向き１を検出した場合、記憶部特定部００５は、データ記憶部００３ａを特定する。
【０１５９】
（実施形態５）
実施形態１乃至４では、データ携帯装置００１のデータ記憶装置１０１に対する相対的な関係（相対的な姿勢、位置、向き）に基づいて、記憶部特定部００５は、送信データの読み出し先となるデータ記憶部を特定した。
本実施形態では、データ携帯装置００１の接続先特定装置２０１に対する相対的な関係（相対的な姿勢、位置、向き）に基づいて、データ携帯装置００１の通信接続先を特定する。
【０１６０】
図３３及び図３４は、装置間の相対的な関係によりデータ携帯装置００１の通信接続先を特定可能なデータ送受信システムを構成するデータ携帯装置００１と接続先特定装置２０１の概略的な構成を示したブロック図である。
【０１６１】
本実施形態では、データ携帯装置００１は、図３３が示すように、データ取得部００２、データ記憶部００３ａ、選択用データ生成部００６、近接無線通信部００７、ＲＯＭ００８、ＲＡＭ００９、制御部０１０、受信部０１１、送信部０１２、操作部０１５、画像生成部０１６及び表示部０１７から構成される。接続先特定装置２０１は、図３４が示すように、近接無線通信部１０２、ＲＯＭ１０７、ＲＡＭ１０８、制御部１０９、受信部１１０、送信部１１１、通信部２０２ａ、通信部２０２ｂ、相対関係検出部２０３及び通信部特定部２０４から構成される。
なお、データ携帯装置００１の操作部０１５、画像生成部０１６及び表示部０１７を除く各部と、接続先特定装置２０１の近接無線通信部１０２、ＲＯＭ１０７、ＲＡＭ１０８、制御部１０９の各機能は、実施形態２におけるデータ携帯装置００１とデータ記憶装置１０１と同じである。但し、本実施形態では、接続先特定装置２０１が、相対関係検出部２０３を備えることから、相対関係検出用テーブルＴ１（図１６）と対象特定用テーブルＴ２（図３７）は、接続先特定装置２０１の電源投入後、ＲＯＭ１０７又は図示されないデータ記憶部からロードされ、ＲＡＭ１０８に記憶される。
【０１６２】
操作部０１５は、例えば、レリーズスイッチを含む操作キー、十字キー、ジョイスティック、表示部０１７の表示画面上に配置されたタッチパネル等の操作子で構成される。ユーザが操作子を操作することで、制御部０１０に対して信号が出力され、制御部０１０は、出力された信号に対応した指示を実行する。
【０１６３】
画像生成部０１６は、制御部０１０の一機能として実現される。画像生成部０１６は、選択用データ生成部００６が生成した選択用データに基づいて、選択用画像を生成する。
【０１６４】
表示部０１７は、画像生成部０１６が生成した選択用画像等を表示する。表示部０１７の表示画面上に表示された選択用画像に対して、操作部０１５から画像の選択操作やデータの送信モードの入力操作を行うことにより、ユーザは所望するデータの送信を行うことができる。また、表示部０１７の表示画面上には、選択用画像の選択や送信モードの選択のための各種メッセージや、データ送信の進捗状況の表示なども制御部０１０の制御により表示される。
【０１６５】
通信部２０２ａ、２０２ｂは、データ携帯装置００１と各通信部にそれぞれ接続された外部通信装置（不図示）との間でデータの送受信を行う。
【０１６６】
相対関係検出部２０３は、データ携帯装置００１の接続先特定装置２０１に対する相対的な関係（相対的な姿勢、位置、向き）、例えば、データ携帯装置００１から送信される電波の強度を測定し、測定した受信電波強度をＲＡＭ１０８に記憶されている相対関係検出用テーブルＴ１（図１６）と照合して、データ携帯装置００１の接続先特定装置２０１に対する相対的な姿勢を検出する。
以下、本実施例においては、相対関係検出部２０３は、データ携帯装置００１から送信される電波の強度を測定し（各受信部、各送信部は不図示）、相対的な姿勢を検出するものとして説明を行う。
【０１６７】
通信部特定部２０４は、相対関係検出部２０３が検出したデータ携帯装置００１の接続先特定装置２０１に対する相対的な姿勢をＲＡＭ１０８に記憶されている対象特定用テーブルＴ２（図３７）と照合して、通信部２０３ａと通信部２０３ｂの内どちらを用いて通信を行うかを特定する。
【０１６８】
以上の構成により、データ携帯装置００１の接続先特定装置２０１に対する相対的な姿勢等を検出することで、データ携帯装置００１の通信接続先となる外部通信装置（不図示）を選択することが可能となる。なお、実施形態１乃至４における、メモリカードの挿入スロットの配置と同様に、データ携帯装置００１の接続先特定装置２０１に対する相対的な関係（相対的な姿勢、位置、向き）の検出方法に応じて、ユーザがどの通信部が通信部特定部２０４により特定されるかをイメージできるように各通信部を配置するようにしてもよい。
【０１６９】
次に、図３５を参照して、本実施形態における接続先特定装置２０１の接続先特定処理について説明する。なお、本実施形態においては、ユーザは予めデータ携帯装置００１の表示部０１７の表示画面上に選択用画像を表示させているものとする。
【０１７０】
接続先特定装置２０１の制御部１０９は、近接無線通信部１０２を制御して、データ携帯装置００１から送信されるデータ送信要求コマンドを受信したか否かを判定する（ステップＳ５０１）。ここで、データ送信要求コマンドとは、データ携帯装置００１がデータを接続先特定装置２０１へ送信することを要求するためのコマンドである。
【０１７１】
データ送信要求コマンドを受信していないと判定された場合は（ステップＳ５０１；ＮＯ）、ステップＳ５０１の処理に戻り、データ送信要求コマンドを受信するのを待つ。
【０１７２】
一方、データ送信要求コマンドを受信した場合には（ステップＳ５０１；ＹＥＳ）、制御部１０９は、近接無線通信部１０２を制御して、データ送信許可コマンドを送信する（ステップＳ５０２）。ここで、データ送信許可コマンドとは、データ携帯装置００１から接続先特定装置２０１へデータを送信することを許可するためのコマンドである。
【０１７３】
制御部１０９は、相対関係検出部２０３を制御して、受信電波強度を測定し、測定した受信電波強度をＲＡＭ１０８に記憶されている相対関係検出用テーブルＴ１（図１６）と照合して、データ携帯装置００１の接続先特定装置２０１に対する相対的な姿勢を検出する（ステップＳ５０３）。通信部特定部２０４は、検出された相対的な姿勢をＲＡＭ１０８に記憶されている対象特定用テーブルＴ２（図３７）と照合して、通信部２０２ａと通信部２０２ｂの内どちらを用いて通信を行うかを特定すると共に、特定された通信部における対象特定用テーブルＴ２の特定先欄の値を"１"にする（ステップＳ５０４）。そして、制御部１０９は、特定された通信部に接続されている外部通信装置との通信を確立する（ステップＳ５０５）。
【０１７４】
そして、制御部１０９は、相対関係検出部２０３を制御して、受信電波強度を測定し、測定した受信電波強度をＲＡＭ１０８に記憶されている相対関係検出用テーブルＴ１（図１６）と照合して、データ携帯装置００１の接続先特定装置２０１に対する相対的な姿勢を検出する（ステップＳ５０６）。
【０１７５】
そして、制御部１０９は、ＲＡＭ１０８に記憶されている対象特定用テーブルＴ２（図３７）の特定先欄を参照して、前回検出された相対的な姿勢を特定し、今回検出された相対的な姿勢と前回検出された相対的な姿勢を比較することで、データ携帯装置００１の相対的な姿勢が変化したか否かを判定する（ステップＳ５０７）。データ携帯装置００１の姿勢が変化していると判定された場合は（ステップＳ５０７；ＹＥＳ）、通信部特定部２０４は、今回検出された相対的な姿勢をＲＡＭ１０８に記憶されている対象特定用テーブルＴ２（図３７）と照合して、通信部を特定し直すと共に、特定された通信部における対象特定用テーブルＴ２の特定先欄と変更欄の値を"１"にし、前回特定されていた通信部の特定先欄の値を"０"にする（ステップＳ６０１）。
【０１７６】
そして、制御部１０９は、前回特定された通信部に接続されている外部通信装置との間で確立された通信を切断して、今回特定された通信部に接続されている外部通信装置との通信を確立し（ステップＳ６０２）、ステップＳ５０６の処理へ戻り、前述の処理を繰り返す。
【０１７７】
一方、データ携帯装置００１の姿勢が変化していないと判定された場合は（ステップＳ５０７；ＮＯ）、制御部１０９は、近接無線通信部１０２を制御して、データ携帯装置００１から送信されてくるデータを受信したか否かを判定する（ステップＳ５０８）。データ携帯装置００１から送信されてくるデータが受信されていないと判定された場合は（ステップＳ５０８；ＮＯ）、ステップＳ５０６の処理に戻り、前述の処理を繰り返す。
【０１７８】
一方、データ携帯装置００１から送信されてくるデータを受信したと判定された場合は（ステップＳ５０８；ＹＥＳ）、接続先特定装置２０１の制御部１０９は、近接無線通信部１０２が受信したデータを、通信部特定部２０４により特定された通信部を介して外部通信装置（不図示）へ送信する（ステップＳ５０９）。この時、データ携帯装置００１から送信されたデータのフォーマットと、外部通信装置（不図示）が要求するデータのフォーマットが異なる場合は、制御部１０９はデータフォーマットの変換処理も併せて行う。
【０１７９】
そして、制御部１０９は、ユーザからデータ送信処理の終了指示がされたか否かを判定する（ステップＳ５１０）。具体的には、ユーザによる終了指示があった際にデータ携帯装置００１から送信される終了指示コマンドを受信したか否かを判定することで、データ送信処理の終了指示がされたか否かを判定する。終了指示が無いと判定された場合には（ステップＳ５１０；ＮＯ）、ステップＳ５０１の処理に戻り前述の処理を繰り返す。一方、終了指示がされたと判定された場合は（ステップＳ５１０；ＹＥＳ）、対象特定用テーブルＴ２の特定先欄と変更欄を初期化して、接続先特定処理を終了する。
【０１８０】
次に、図３６を参照して、データ携帯装置００１側のデータ送信処理について説明する。なお、本実施形態においては、ユーザは予めデータ携帯装置００１の表示部０１７の表示画面上に選択用画像を表示させているものとする。
【０１８１】
制御部０１０は、近接無線通信部００７を制御して、接続先特定装置２０１へデータ送信要求コマンドを送信すると共に、タイマ（不図示）をスタートさせる（ステップＳＴ５０１）。そして、制御部０１０は、近接無線通信部００７を制御し、接続先特定装置２０１から送信されてくるデータ送信許可コマンドを受信したか否かを判定する（ステップＳＴ５０２）。
【０１８２】
データ送信許可コマンドを受信しなかったと判定された場合は（ステップＳＴ５０２；ＮＯ）、制御部０１０は、タイマがタイムアウトしたか否かを判定する（ステップＳＴ６０１）。タイマがタイムアウトしていないと判定された場合は（ステップＳＴ６０１；ＮＯ）、ステップＳＴ５０２の処理に戻り、前述の処理を繰り返す。一方、タイマがタイムアウトしたと判定された場合は（ステップＳＴ６０１；ＹＥＳ）、ステップＳＴ５０１の処理に戻り、前述の処理を繰り返す。
【０１８３】
一方、データ送信許可コマンドを受信したと判定された場合は（ステップＳＴ５０２；ＹＥＳ）、制御部０１０は、ユーザが操作部０１５を操作することで入力される選択用画像情報と送信モード情報の受け付けを開始する（ステップＳＴ５０３）。
【０１８４】
そして、制御部０１０は、選択用画像情報と送信モード情報が入力されたか否かを判定し（ステップＳＴ５０４）、選択用画像情報と送信モード情報が入力されていないと判定された場合は（ステップＳＴ５０４；ＮＯ）、ステップＳＴ５０４の処理を繰り返し、選択用画像情報と送信モード情報が入力されるのを待つ。一方、選択用画像情報と送信モード情報が入力されたと判定された場合は（ステップＳＴ５０４；ＹＥＳ）、制御部０１０は、選択画像情報に基づいて、データ記憶部００３ａからデータを読み出して、近接無線通信部００７を介して、接続先特定装置２０１へデータを送信する（ステップＳＴ５０５）。
【０１８５】
そして、制御部０１０は、選択用画像情報と送信モード情報が追加入力されたか否かを判定し（ステップＳＴ５０６）、追加入力されたと判定された場合は（ステップＳＴ５０６；ＹＥＳ）、ステップＳＴ５０５の処理へ戻り、前述の処理を繰り返す。一方、追加入力されていないと判断された場合は（ステップＳＴ５０６；ＮＯ）、制御部０１０は、送信モード情報に基づいて、ステップＳＴ５０５の処理で読み出したデータに対して必要な処理を行う（ステップＳＴ５０７）。具体的には、ユーザに指定された送信モードがコピーモードの場合は、選択されたデータの読み出し処理のみを行い、ムーブモードの場合は、選択されたデータの消去処理を行う。
【０１８６】
そして、制御部０１０は、ユーザからデータ受信処理の終了指示がされたか否かを判定する（ステップＳＴ５０８）。ここで、データ送信処理の終了指示とは、例えば、操作部０１５からデータ送信処理の終了を指示する入力があった場合等を指す。
【０１８７】
終了指示がされていないと判定された場合は（ステップＳＴ５０８；ＮＯ）、ステップＳＴ５０１の処理に戻り、前述の処理を繰り返す。一方、終了指示がされたと判定された場合は（ステップＳＴ５０８；ＹＥＳ）、制御部０１０は、例えば、その終了指示が操作部０１５から指示されたものであれば、終了指示コマンドを生成し、近接無線通信部００７を介して、接続先特定装置２０１へ終了指示コマンドを送信すると共に、データ送信処理を終了する。
【０１８８】
上記実施形態１乃至４によれば、データ携帯装置００１のデータ記憶装置１０１に対する相対的な関係（相対的な姿勢、位置、向き）を検出し、検出された相対的な関係に基づいて、送信データの読み出し先となるデータ記憶部を自動的に特定するようにした。こうすることで、ユーザが送信を所望するデータが記憶されているデータ記憶部のデータに関する選択用データのみを送信することができ、送信時間を大幅に短縮することが可能となる。また、直感的な操作で、所望するデータ記憶部を特定すること可能となることから、直感的な操作でデータ通信ができるという近接無線通信の利点を活かすことができる。
【０１８９】
また、上記実施形態５によれば、データ携帯装置００１の接続先特定装置２０１に対する相対的な関係（相対的な姿勢、位置、向き）を検出し、検出された相対的な関係に基づいて、データを送信する接続先（外部機器）を自動的に特定するようにした。こうすることで、煩雑な操作を行うことなく、所望する接続先にデータを送信することが可能となる。また、直感的な操作で、所望する接続先を特定すること可能となることから、直感的な操作でデータ通信ができるという近接無線通信の利点を活かすことができる。
【０１９０】
また、上記実施形態１乃至４によれば、どのデータ記憶部が記憶部特定部００５により特定されるかをユーザがイメージできるようにデータ記憶部としてのメモリカードの挿入スロットを配置した。こうすることで、ユーザは直感的な操作で、データ記憶部（メモリカード）を特定することが可能となり、直感的な操作でデータ通信ができるという近接無線通信の利点を活かすことができると共に、ユーザが送信を所望するデータを記憶するデータ記憶部（メモリカード）以外のデータ記憶部（メモリカード）が誤って特定されてしまうことを防止することができる。なお、メモリカードは、他の記憶媒体でもよい。
また、上記実施形態５において、実施形態１乃至４におけるメモリカードの挿入スロットの配置と同様に、どの通信部が通信部特定部２０４により特定されるかをイメージできるように各通信部を配置してもよい。こうすることで、ユーザは直感的な操作で、データ記憶部（メモリカード）を特定することが可能となり、直感的な操作でデータ通信ができるという近接無線通信の利点を活かすことができると共に、ユーザが通信を所望する外部通信装置とは異なる外部通信装置にデータを送信してしまうことを防止することができる。
【０１９１】
また、上記実施形態１乃至４によれば、選択用データを送信中又は送信後に、再度データ携帯装置００１のデータ記憶装置１０１に対する相対的な関係を検出し、相対的な関係が変化し記憶部特定部００５が別のデータ記憶部を特定した場合は、データ記憶装置１０１に対して選択用データの消去指示を出して、新たに特定されたデータ記憶部のデータに対応する選択用データを送信するように構成した。こうすることで、例えば、ユーザの勘違いにより別のデータ記憶部が特定されてしまった場合に、処理を初めからやり直すことなく、ユーザはデータ携帯装置００１の状態を変化させるだけで、所望のデータ記憶部を特定し直すことが可能となる。
【０１９２】
また、上記実施形態１乃至５によれば、相対関係検出用テーブルＴ１において、姿勢検出部００４等が検出した値（重力加速度等）が所定の範囲に入っていれば、特定の相対的な関係（相対的な姿勢、位置、向き）が検出されるようした。こうすることで、データ携帯装置００１の状態が少し変化しただけでは、データ記憶部（又は、通信部）の特定し直しが行われないことから、例えば、操作時のデータ携帯装置００１のブレ等によるデータ記憶部（又は、通信部）の特定し直しを防止することができ、ユーザがデータ記憶部（又は、通信部）の特定し直しを所望する場合のみ、特定し直しが行われるようにすることができる。
【０１９３】
なお、上記実施形態１乃至５において、データ記憶装置１０１、接続先特定装置２０１を据置型装置とする構成としたが、これに限定されるものではなく、データ記憶装置１０１、接続先特定装置２０１は携帯型装置であってもよい。
【０１９４】
また、上記実施形態１乃至４において、データ記憶装置１０１に画像生成部１０３、表示部１０４、操作部１０５及びデータ記憶部１０６を設ける構成としたが、これに限定されるものではなく、例えば、データ記憶装置１０１とは別の装置に上記構成を設けて、データ記憶装置１０１と該別装置とを通信手段を用いて接続する構成としてもよい。例えば、データ記憶装置１０１をＰＣに接続する構成とし、ＰＣ側に画像生成部１０３、表示部１０４、操作部１０５及びデータ記憶部１０６を設ける。
【０１９５】
また、上記実施形態１乃至４において、データ記憶装置１０１側がデータ受信要求を出して、データ携帯装置００１がそれに応答する構成としたが、データ携帯装置００１がデータ送信要求を出して、データ記憶装置１０１がそれに応答する構成としてもよい。
また、上記実施形態５において、データ携帯装置００１側がデータ送信要求を出して、接続先特定装置２０１がそれに応答する構成としたが、接続先特定装置２０１がデータ受信要求を出して、データ携帯装置００１がそれに応答する構成としてもよい。
【０１９６】
また、上記実施形態１乃至４において、現在特定されているデータ記憶部に対応したＬＥＤライトを点灯させることで、ユーザにどのデータ記憶部が特定されているかを認知させるようにしてもよいし、現在特定されているデータ記憶部を表示画面に表示させてもよい。
また、上記実施形態５において、現在特定させている接続先に対応したＬＥＤライトを点灯させることで、ユーザにどの接続先が特定されているかを認知させるようにしてもよいし、現在特定されている接続先を表示画面に表示させてもよい。
こうすることで、ユーザが所望する接続先以外の接続先に誤ってデータを送信してしまうことを防止することができる。
【０１９７】
また、上記実施形態１乃至４において、データ携帯装置００１のデータ記憶装置１０１に対する相対的な関係（相対的な姿勢、位置、向き）を、データ携帯装置００１側で検出する構成としたが、これに限定されるものではなく、データ記憶装置１０１側で相対的な姿勢等を検出し、データ記憶装置１０１の近接無線通信部１０２を介してデータ携帯装置００１にその情報を送信する構成としてもよい。
また、上記実施形態５において、データ携帯装置００１の接続先特定装置２０１に対する相対的な関係（相対的な姿勢、位置、向き）を、接続先特定装置２０１側で検出する構成としたが、これに限定されるものではなく、データ携帯装置００１側で相対的な姿勢等を検出し、データ携帯装置００１の通信部００２を介して接続先特定装置２０１へその情報を送信する構成としてもよい。
【０１９８】
また、上記実施形態１乃至５において、データ携帯装置００１をデータ記憶装置１０１又は接続先特定装置２０１に搭載する構成としたが、これに限定されるものではなく、近接無線通信が可能な範囲であれば、非接触の状態でもデータ記憶部又は通信部を特定することが可能である。また、この場合、近接無線通信が可能な範囲に通信可能な装置が複数あるとき、相対的な関係（相対的な姿勢、位置、向き）に基づいて、それらの複数の装置から一つを特定し、特定した装置との間でデータ通信を行うように構成することも可能である。
【０１９９】
また、上記実施形態１乃至４において、データ記憶装置１０１の表示部１０４に表示された選択用画像に対しユーザが選択操作することで、選択されたデータがデータ携帯装置００１からデータ記憶部１０１へ送信される構成としたが、選択用画像の選択操作に関しても、データ携帯装置００１のデータ記憶装置１０１に対する相対的な関係（相対的な姿勢、位置、向き）に基づいて行うように構成してもよい。
この場合、例えば、データ携帯装置００１の態様が変化することで他のデータ記憶部が
特定されないようにするボタン等を設け、ユーザが所望するデータ記憶部が特定された際に、ボタン等によりデータ記憶部が変更されないように固定し、固定した状態で、データ携帯装置００１のデータ記憶装置１０１に対する相対的な関係に基づいて、データ記憶装置１０１の表示部１０４に表示されている選択用画像を選択する操作を行う。ユーザは、所望の選択用画像が選択されている状態で、例えば、データ記憶装置１０１に設けられた、決定ボタンを押し込むことで選択したデータをデータ携帯装置００１から送信させる。このように構成することで、直感的な操作でデータ通信ができるという近接無線通信の利点を最大限活かすことが可能となる。
また、上記実施形態５において、データ携帯装置００１の表示部０１７に表示された選択用画像に対しユーザが選択操作することで、選択されたデータがデータ携帯装置００１から接続先特定装置２０１へ送信される構成としたが、実施形態１乃至４の場合と同様に、選択用画像の選択操作に関しても、データ携帯装置００１の接続先特定装置２０１に対する相対的な関係（相対的な姿勢、位置、向き）に基づいて行うように構成してもよい。
【０２００】
また、上記実施形態１乃至４において、データ携帯装置００１に記憶されているデータをデータ記憶装置１０１に送信する構成としたが、これに限定されるものではなく、例えば、データ記憶装置１０１に記憶されているデータをデータ携帯装置００１に送信する場合に、データ携帯装置００１のデータの記憶先となるデータ記憶部を特定する構成としてもよい。
また、上記実施形態５において、データ携帯装置００１に記憶されているデータを接続先特定装置２０１に送信する構成としたが、これに限定されるものではなく、例えば、特定された通信部に接続されている外部装置から送られてくるデータを、データ携帯装置００１の記憶部に記憶する構成としてもよい。
【０２０１】
また、上記実施形態１乃至４において、データ携帯装置００１から送信するデータの読み出し先となるデータ記憶部を特定する構成としたが、これに限定されるものでなく、例えば、データの送信先となるデータ記憶装置１０１が複数のデータ記憶部を備える場合に、送信データを記憶させるデータ記憶装置１０１のデータ記憶部を特定する構成としてもよい。この場合、データ記憶装置１０１が、記憶部特定部等を備える構成とすればよい。
【０２０２】
また、上記実施形態１乃至５において、相対関係検出用テーブルＴ１を参照して、相対的な関係（相対的な姿勢、位置、向き）を検出し、その後、検出された相対的な関係に基づいて、記憶部特定部００５（又は、通信部特定部２０４）が対象特定用テーブルＴ２を参照して、データ記憶部（又は通信部）を特定する構成としたが、例えば、地球重力加速度センサを備える姿勢検出部００４が検出した加速度に基づいて、記憶部特定部００５（又は、通信部特定部２０４）が、データ記憶部（又は通信部）を特定する構成としてもよい。
【０２０３】
また、上記実施形態１乃至４において、操作部１０５をデータ記憶装置１０１側に設ける構成としたが、これに限定されるものではなく、操作部をデータ携帯装置００１側に設けるようにしてもよい。また、上記実施形態５において、操作部０１５をデータ携帯装置００１側に設ける構成としたが、これに限定されるものではなく、操作部を接続先特定装置２０１側に設けるようにしてもよい。
【０２０４】
また、上記実施形態１乃至４において、相対的な関係に基づいてデータ記憶部を特定する構成としたが、例えば、相対的な関係に基づいて、データ記憶部に記憶されたデータの内で、特定の日（又は日時）に記憶されたデータを特定し、データ記憶装置１０１へ送信するようにしてもよい。
【０２０５】
また、実施形態２乃至３で説明した電波強度による相対的な姿勢又は位置を検出する方法は、一例に過ぎず、送信部の数、受信部の数はこれに限定されるものではない。また、送信部の数と受信部の数の組み合わせもこれに限定されるものではない。さらに、送信部と受信部の位置関係についても各実施形態で説明したものに限定されるものではなく、データ携帯装置００１のデータ記憶装置１０１に対する相対的な姿勢又は位置を検出できる位置関係であればよい。
【０２０６】
また、上記実施形態１乃至４において、２つのデータ記憶部を備える構成としたが、これに限定されるものではなく、３つ以上のデータ記憶部を備えるようにしてもよい。この場合、例えば、相対的な向き（角度）に基づいて、データ記憶部を特定するときは、複数の特定範囲の角度と各データ記憶部を対応させることで、複数のデータ記憶部から一つを特定することが可能となる。
また、例えば、重力加速度を検出して、相対的な姿勢に基づいて、データ記憶部を特定するときは、検出される重力加速度の特定の値（例えば、−ｇ、−１／２ｇ、０、１／２ｇ、ｇ）と各データ記憶部を対応させることで、複数のデータ記憶部から一つを特定することが可能となる。もちろん、複数の特定範囲内の加速度と各データ記憶部を対応させるようにしてもよい。
また、上記実施形態５において、２つの通信部を備え、通信部特定部２０４が２つの通信部の内一つを特定する構成としたが、これに限定されるものではなく、３つ以上の通信部を備えるようにしてもよい。
【０２０７】
また、上記実施形態３において、例えば、データ記憶装置１０１のデータ携帯装置００１の搭載面に、データ記憶部００３ａが特定される範囲を明示し、その範囲外にデータ携帯装置００１が搭載された場合には、データ記憶部００３ｂが特定されるようにしてもよい。こうすることで、ユーザは直感的な操作で、データ記憶部を特定することが可能となり、直感的な操作でデータ通信ができるという近接無線通信の利点を活かすことが可能となる。
【０２０８】
また、上記実施形態４において、方向検出部０１４及び方向検出部１１３は、方位センサ（ジャイロセンサ、磁気センサ等）を備えるものとして説明したが、これに限定されるものではなく、例えば、相対的な姿勢や相対的な位置を検出した場合と同様に受信部が受信する電波強度によって相対的な方向を求めるようにしてもよい。
【０２０９】
なお、上記実施形態において、実行されるプログラムは、フレキシブルディスク、ＣＤ−ＲＯＭ(Compact Disc Read-Only Memory)、ＤＶＤ(Digital Versatile Disc)、ＭＯ（Magneto-Optical Disc)等のコンピュータ読み取り可能な記録媒体に格納して配布し、そのプログラムをインストールすることにより、上述の処理を実行することとしてもよい。
また、プログラムをインターネット等の通信ネットワーク上の所定のサーバ装置が有するディスク装置等に格納しておき、例えば、搬送波に重畳させて、取得等するようにしてもよい。
【０２１０】
以上、本発明の好ましい実施形態について説明したが、本発明は係る特定の実施形態に限定されるものではなく、本発明には、特許請求の範囲に記載された発明とその均等の範囲が含まれる。
（付記１）
他の情報端末装置と近接無線通信によりデータ通信を行う情報端末装置であって、
前記データ通信の対象データの受け渡しをする複数の機能部と、
自装置の前記他の情報端末装置に対する相対的な位置関係を該自装置の加速度から検出
する検出部と、
前記検出部により検出された自装置の前記他の情報端末装置に対する相対的な位置関係
に基づいて、複数の機能部から一つを特定する特定部と、
前記他の情報端末装置との間で近接無線通信を行う近接無線通信手段と、
前記特定部により特定された機能部を制御し、前記他の情報端末装置との間で前記近接
無線通信手段による近接無線通信を用いて、該機能部の種別に応じた所定のデータ処理を
実行する実行部と、
を具備することを特徴とする情報端末装置。
（付記２）
前記検出部は、自装置の前記他の情報端末装置に対する相対的な位置関係を繰り返し検
出し、
前記実行部は、前記特定部が特定した機能部が前回特定した機能部から変更されていな
い場合に、前記所定のデータ処理を実行する、
ことを特徴とする付記１に記載の情報端末装置。
（付記３）
前記他の情報端末装置から発信された電波を受信する電波受信部と、
前記電波受信部により受信された電波の受信強度を測定する受信強度測定部と、
を具備し、
前記検出部は、前記受信強度測定部により測定された電波の受信強度に基づいて、自装
置の前記他の情報端末装置に対する相対的な位置関係を検出する、
ことを特徴とする付記１又は２に記載の情報端末装置。
（付記４）
前記電波受信部を複数具備し、
前記検出部は、前記受信強度測定部により測定された各電波受信部の電波の受信強度を
比較することで、自装置の前記他の情報端末装置に対する相対的な位置関係を検出する、
ことを特徴とする付記３に記載の情報端末装置。
（付記５）
地球重力加速度を検出する加速度検出部を具備し、
前記検出部は、前記加速度検出部により検出された地球重力加速度に基づいて、自装置
の前記他の情報端末装置に対する相対的な位置関係を検出する、
ことを特徴とする付記１乃至４の何れか１つに記載の情報端末装置。
（付記６）
自装置内の基準軸の方位を検出することで自装置の方向を検出する方位検出部を具備し
、
前記検出部は、前記近接無線通信手段を介して受信した前記他の情報端末装置の方向を
示す方向情報と、前記方位検出部により検出された自装置の方向を示す方向情報とに基づ
いて、自装置の前記他の情報端末装置に対する相対的な位置関係を検出する、
ことを特徴とする付記１乃至５の何れか１つに記載の情報端末装置。
（付記７）
データを記憶する複数の記憶部を具備し、
前記機能部は、前記記憶部であり、
前記実行部は、前記特定部により特定された記憶部からデータを読み出して、前記近接
無線通信手段により読み出したデータを前記他の情報端末装置へ送信する、
ことを特徴とする付記１乃至６の何れか１つに記載の情報端末装置。
（付記８）
ユーザが選択することで、データ通信の対象データを特定するための選択用データを生
成する選択用データ生成部をさらに具備し、
前記実行部は、前記特定部が特定した記憶部から読み出したデータに対応する選択用デ
ータを前記選択用データ生成部に生成させ、生成された選択用データを前記近接無線通信
手段により前記他の情報端末装置へ送信する、
ことを特徴とする付記７に記載の情報端末装置。
（付記９）
データを記憶する複数の記憶部を具備し、
前記機能部は、前記記憶部であり、
前記実行部は、前記他の情報端末装置から前記近接無線通信手段により送信されたデー
タを、前記特定部により特定された記憶部に記憶する、
ことを特徴とする付記１乃至６の何れか１つに記載の情報端末装置。
（付記１０）
それぞれ別々の外部装置に接続された複数の通信部を具備し、
前記機能部は、前記通信部であり、
前記実行部は、前記他の情報端末装置から前記近接無線通信手段により送信されたデー
タを、前記特定部により特定された通信部に接続されている前記外部装置へ送信する、
ことを特徴とする付記１乃至６の何れか１つに記載の情報端末装置。
（付記１１）
前記複数の機能部は、前記検出部が検出する相対的な位置関係の変化に応じて前記特定
部が特定する機能部を、ユーザが特定できるように配置されている、
ことを特徴とする付記１乃至１０の何れか１つに記載の情報端末装置。
（付記１２）
前記検出部は、自装置の前記他の情報端末装置に対する、姿勢、位置、向きの少なくと
も１つを前記相対的な位置関係として検出する、
ことを特徴とする付記１乃至１１の何れか１つに記載の情報端末装置。
（付記１３）
前記情報端末装置と前記他の情報端末装置の内、少なくとも１つが携帯型装置である、
ことを特徴とする付記１乃至１２の何れか１つに記載の情報端末装置。
（付記１４）
他の情報端末装置と近接無線通信手段によりデータ通信を行う情報端末装置におけるア
クセス先特定方法であって、
自装置の前記他の情報端末装置に対する相対的な姿勢、位置、向きの内の少なくとも１
つを該自装置の加速度から検出し、
検出された相対的な関係に基づいて、データの受け渡しをする複数のアクセス先から一
つを特定し、
特定されたアクセス先を制御し、前記他の情報端末装置との間で前記近接無線通信手段
を用い、該アクセス先の種別に応じた所定のデータ処理を実行する、
ことを特徴とするアクセス先特定方法。
【符号の説明】
【０２１１】
００１    データ携帯装置
００２    データ取得部
００３ａ  データ記憶部
００３ｂ  データ記憶部
００４    姿勢検出部（位置検出部）
００５    記憶部特定部
００６    選択用データ生成部
００７    近接無線通信部
００８    ＲＯＭ
００９    ＲＡＭ
０１０    制御部
０１１    受信部
０１２    送信部
０１３    受信部
０１４    方向検出部
０１５    操作部
０１６    画像生成部
０１７    表示部
１０１    データ記憶装置
１０２    近接無線通信部
１０３    画像生成部
１０４    表示部
１０５    操作部
１０６    データ記憶部
１０７    ＲＯＭ
１０８    ＲＡＭ
１０９    制御部
１１０    受信部
１１１    送信部
１１２    送信部
１１３    方向検出部
２０１    接続先特定装置
２０２ａ  通信部
２０２ｂ  通信部
２０３    相対関係検出部
２０４    通信部特定部
【図１】
0006052322.tif 000002
【図２】
0006052322.tif 000003
【図３】
0006052322.tif 000004
【図４】
0006052322.tif 000005
【図５】
0006052322.tif 000006
【図６】
0006052322.tif 000007
【図７】
0006052322.tif 000008
【図８】
0006052322.tif 000009
【図９】
0006052322.tif 000010
【図１０】
0006052322.tif 000011
【図１１】
0006052322.tif 000012
【図１２】
0006052322.tif 000013
【図１３】
0006052322.tif 000014
【図１４】
0006052322.tif 000015
【図１５】
0006052322.tif 000016
【図１６】
0006052322.tif 000017
【図１７】
0006052322.tif 000018
【図１８】
0006052322.tif 000019
【図１９】
0006052322.tif 000020
【図２０】
0006052322.tif 000021
【図２１】
0006052322.tif 000022
【図２２】
0006052322.tif 000023
【図２３】
0006052322.tif 000024
【図２４】
0006052322.tif 000025
【図２５】
0006052322.tif 000026
【図２６】
0006052322.tif 000027
【図２７】
0006052322.tif 000028
【図２８】
0006052322.tif 000029
【図２９】
0006052322.tif 000030
【図３０】
0006052322.tif 000031
【図３１】
0006052322.tif 000032
【図３２】
0006052322.tif 000033
【図３３】
0006052322.tif 000034
【図３４】
0006052322.tif 000035
【図３５】
0006052322.tif 000036
【図３６】
0006052322.tif 000037
【図３７】
0006052322.tif 000038